(57)【要約】【課題】自力で中腰姿勢を取ることができない者であっても、排便後に自分で便を拭き取ることができ、また、付添い人が排便を拭き取る場合でも、付添い人の負担の軽減を図ることができると共に、排便者の精神的苦痛を緩和することのできる便座を提供する。【解決手段】本発明は、腰掛式便器１２の上縁部に形成されたリム１４上に載置される環状の便座１１であって、前端部１７の内側に切欠部１８が形成されており、前端部１７の内側面１９は、リム１４の前端部２１の内側面１５の延長面２２と一致又は延長面２２より前方に位置していることを特徴とする。【選択図】図１
2008173260.tif 000002
【特許請求の範囲】
【請求項１】
腰掛式便器の上縁部に形成されたリム上に載置される環状の便座であって、前端部の内側に切欠部が形成されており、該前端部の内側面は、前記リムの前端部の内側面の延長面と一致又は該延長面より前方に位置していることを特徴とする便座。
【請求項２】
前記切欠部は、該切欠部を介して腰掛式便器の内部に手を挿入可能、且つ便座に腰掛けている者の大腿部が前記切欠部に重合しないように形成されている請求項１に記載の便座。
【請求項３】
前記切欠部は１００〜１８０ｍｍの範囲の幅を備えている請求項２に記載の便座。
【発明の詳細な説明】
【技術分野】
【０００１】
本発明は、腰掛式便器の上縁部に形成されたリム上に載置される環状の便座に関するものである。
【背景技術】
【０００２】
従来、洋式トイレ等に設置されている腰掛式便器には、該便器の使用者が腰掛けるための便座が取り付けられている。この便座の形状としては、一般に、前割れ形状と環状の２種類の形状が知られているが、前割れ形状の便座は、負荷の掛かる後端付け根部分が破損し易いため、最近では、環状の便座が主に使用されている。
【０００３】
図４及び図５に示すように、従来のこの種の便座１は、腰掛式便器２の上縁部に形成されたリム３の上に、複数（図５では１個のみ示している。）の緩衝材４を介して載置され、便座１の幅は、使用者が腰掛け易いように、リム３の幅より広く設定されている（例えば、特許文献１参照）。
【特許文献１】特開２００５−１０２７９６号公報
【発明の開示】
【発明が解決しようとする課題】
【０００４】
しかしながら、上記した従来の便座では、便座１の幅がリム３の幅より広くなっており、使用者が便座１に腰掛けた状態で腰掛式便器２の内部に手を挿入することができないため、使用者は排便を終了した後、中腰姿勢になってトイレットペーパで便を拭き取っていた。そのため、特に、自力で中腰姿勢を取ることができない幼児や高齢者或いは病人や身体障害者等が排便をした場合には、介護者等の付添い人が排便した者を一旦抱え上げて便を拭き取らなければならず、付添い人に過大な負担を課すと共に、排便者にも精神的苦痛を与えるといった問題があった。
【０００５】
本発明は、上記した課題を解決すべくなされたものであり、自力で中腰姿勢を取ることができない者であっても、排便後に自分で便を拭き取ることができ、また、付添い人が排便を拭き取る場合でも、付添い人の負担の軽減を図ることができると共に、排便者の精神的苦痛を緩和することのできる便座を提供することを目的とするものである。
【課題を解決するための手段】
【０００６】
上記した目的を達成するため、本発明は、腰掛式便器の上縁部に形成されたリム上に載置される環状の便座であって、前端部の内側に切欠部が形成されており、該前端部の内側面は、前記リムの前端部の内側面の延長面と一致又は該延長面より前方に位置していることを特徴とする。
【０００７】
そして、前記切欠部は、該切欠部を介して腰掛式便器の内部に手を挿入可能、且つ便座に腰掛けている者の大腿部が前記切欠部に重合しないように形成されていてもよい。
【０００８】
また、前記切欠部は１００〜１８０ｍｍの範囲の幅を備えていてもよい。
【発明の効果】
【０００９】
本発明によれば、前端部の内側に切欠部が形成されているため、自力で中腰姿勢を取ることができない者であっても、排便後に自分で便を拭き取ることができ、また、付添い人が排便を拭き取る場合でも、付添い人の負担の軽減を図ることができると共に、排便者の精神的苦痛を緩和することができる。さらに、暖房便座や洗浄機能付き暖房便座に使用した場合には、節電効果を期待することができる。
【発明を実施するための最良の形態】
【００１０】
以下、図面を参照しつつ、本発明の実施の形態について説明する。ここで、図１は本発明の実施の形態に係る便座を示す平面図、図２は同便座を示す断面図である。
【００１１】
本実施の形態に係る便座１１を備える腰掛式便器１２において、ボウル部１３の上端部の周囲にはリム１４が形成されており、便座１１はこのリム１４の上に、複数の緩衝材（図示省略）を介して載置されている。そして、リム１４は、中空矩形断面形状を成し、内側に突出し、リム１４の前端部２１の内側面１５は鉛直面を形成している。また、リム１４の下面には、案内凹部１６が形成されており、この案内凹部１６を通って洗浄水が旋回しながら下方に流れ、ボウル部１３の内面を洗浄するようになっている。
【００１２】
便座１１は、環状を成し、前端部１７の内側には、切欠部１８が形成されている。そして、便座１１の前端部１７の内側面１９は、リム１４の前端部２１の内側面１５の延長面２２と一致するように形成されている。切欠部１８は、該切欠部１８を介して腰掛式便器１２の内部に手を挿入可能、且つ便座１１に腰掛けている者の大腿部２０が切欠部１８に重合しないように形成されている。
【００１３】
より具体的には、例えば、全長Ｌが４６０ｍｍで、全幅Ｗが３７０ｍｍの標準的な便座１１において、切欠部１８の幅Ｗ１は、好ましくは、１００〜１８０ｍｍの範囲に形成されており、より好ましくは、１２５〜１５０ｍｍの範囲に形成されているのがよい。また、その時の便座１１の前端部１７の長さＬ１は、４０ｍｍ程度に形成され、切欠部１８の長さＬ２は、３０ｍｍ程度に形成されているのが好ましい。
【００１４】
上記した構成のもと、手を動かすことのできる使用者が便座１１に腰掛けて排便を終了した場合、腰掛けた姿勢のまま、切欠部１８から便器１２内に自分の手を挿入し、トイレットペーパで便を拭き取ることができる。
【００１５】
一方、手を動かすことのできない使用者が便座１１に腰掛けて排便を終了した場合には、該使用者が腰掛けた姿勢のまま、付添い人が切欠部１８から便器１２内に自分の手を挿入し、トイレットペーパで前記使用者の便を拭き取ることができる。
【００１６】
このように、上記した実施の形態に係る便座１１によれば、便器１２の使用者が手を動かすことができるかどうかに拘らず、該使用者が便座１１に腰掛けた状態で、便を拭き取ることができる。したがって、便器１２を使用している間、使用者が自力で或いは介護者等の付添い人に抱き上げられて中腰姿勢を取る必要がないため、使用者や付添い人の労力の軽減を図ることができる。特に、自力で中腰姿勢を取ることができない幼児や高齢者或いは病人や身体障害者等が排便をした場合には、付添い人の負担を大幅に軽減することができると共に、排便者の精神的苦痛を緩和することができる。
【００１７】
なお、上記した実施の形態では、腰掛式便器１２のリム１４の前端部２１の内側面１５が鉛直面を形成している場合について説明したが、これは単なる例示に過ぎず、例えば、図３に示すように、リム１４の前端部２１の内側面１５が内側下方に向かって傾斜している場合でも、便座１１の前端部１７の内側面１９は、リム１４の前端部２１の内側面１５の延長面２２と一致するように形成される。また、便座１１の前端部１７の内側面１９は、リム１４の前端部２１の内側面１５の延長面２２より前方に位置していてもよい。
【００１８】
さらに、切欠部１８は、上記した形状及び寸法に限定されるものではなく、切欠部１８を介して腰掛式便器１２の内部に手を挿入可能、且つ便座１１に腰掛けている者の大腿部２０が切欠部１８に重合しないように形成されていれば、他の形状及び寸法を備えていてもよい。
【図面の簡単な説明】
【００１９】
【図１】本発明の実施の形態に係る便座を示す平面図である。
【図２】本発明の実施の形態に係る便座を示す断面図である。
【図３】本発明の実施の形態に係る便座の別の例を示す断面図である。
【図４】従来の便座を示す平面図である。
【図５】従来の便座を示す断面図である。
【符号の説明】
【００２０】
１１          便座
１２          腰掛式便器
１４          リム
１５          内側面
１７          前端部
１８          切欠部
１９          内側面
２１          前端部
２２          延長面
【図１】
2008173260.tif 000003
【図２】
2008173260.tif 000004
【図３】
2008173260.tif 000005
【図４】
2008173260.tif 000006
【図５】
2008173260.tif 000007